(57)【要約】  本発明では、開口部を有するケーシングと、ケーシング内に回転自在に設けられたロールと、収納時にロールに巻き取られ、使用時にケーシングの開口部から巻き出されて設置面に貼り付けされるマグネットスクリーンとを備え、開口部の形成領域に設けられた棒部材を更に有して成り、棒部材は、開口部の形成領域に位置するマグネットスクリーンと接触可能に構成されている、マグネットスクリーン装置が提供される。
2018047373.tif 000002
【特許請求の範囲】
【請求項１】
マグネットスクリーン装置であって、
開口部を有するケーシングと、該ケーシング内に回転自在に設けられたロールと、収納時に前記ロールに巻き取られ、使用時に前記ケーシングの前記開口部から巻き出されて設置面に貼り付けされるマグネットスクリーンと
を備え、
前記開口部の形成領域に設けられた棒部材を更に有して成り、
前記棒部材は、前記開口部の前記形成領域に位置する前記マグネットスクリーンと接触可能と成っている、マグネットスクリーン装置。
【請求項２】
前記開口部に位置する前記マグネットスクリーンが、断面視で前記棒部材と前記設置面との間に位置付けられている、請求項１に記載のマグネットスクリーン装置。
【請求項３】
前記棒部材は、前記マグネットスクリーンとの摺動接触に起因して回転可能と成っている、請求項１又は２に記載のマグネットスクリーン装置。
【請求項４】
前記ケーシングは、断面視にてその表面に第１磁石および該第１磁石の延在方向とは異なる方向に延在する第２磁石を備えており、
前記棒部材が、断面視にて前記第１磁石と略同一平面上に位置付けられている、請求項１〜３のいずれかに記載のマグネットスクリーン装置。
【請求項５】
前記マグネットスクリーンは、前記ロールと接続される一方の端部とは反対側の他方の端部に磁着面を有するエンドバーを備えており、
前記第１磁石および前記第２磁石が前記設置面から離隔し、かつ前記エンドバーの前記磁着面が前記設置面に貼り付いた状態で、前記ケーシングが前記設置面に沿って一方向に移動可能と成っている、請求項１〜４のいずれかに記載のマグネットスクリーン装置。
【請求項６】
前記ケーシングの前記一方向移動の間、前記棒部材は、該棒部材の自重が前記開口部から巻き出される部分における前記マグネットスクリーンに連続的にかかるように成っている、請求項５に記載のマグネットスクリーン装置。
【請求項７】
前記一方向に移動させた前記ケーシングは、断面視にて時計回り又は反時計回りに回転移動することで前記第１磁石を前記設置面に貼り付け可能と成っている、請求項５又は６に記載のマグネットスクリーン装置。
【請求項８】
前記第２磁石が前記設置面に貼り付いている状態で前記マグネットスクリーンを一方向に巻き出し可能と成っており、
前記ケーシングを断面視にて前記第１磁石が前記設置面に貼り付くように時計回り又は反時計回りに回転移動させることで、前記第１磁石と略同一平面上に位置付けられた前記棒部材が、断面視で前記設置面側に移動可能と成っている、請求項１〜４のいずれかに記載のマグネットスクリーン装置。
【請求項９】
前記ケーシングの前記回転移動時に、前記棒部材は、該棒部材の自重が前記開口部から巻き出される部分における前記マグネットスクリーンにかかるように成っている、請求項８に記載のマグネットスクリーン装置。
【請求項１０】
前記棒部材は、前記開口部の前記形成領域において突出移動可能と成っている、請求項１〜９のいずれかに記載のマグネットスクリーン装置。
【請求項１１】
前記棒部材は、該棒部材の表面の少なくとも一部に押圧部材を備えており、
前記押圧部材は、前記マグネットスクリーンと接するように成っている、請求項１〜１０のいずれかに記載のマグネットスクリーン装置。
【発明の詳細な説明】
【技術分野】
【０００１】
本発明は、マグネットスクリーン装置に関する。
【背景技術】
【０００２】
従来より、学校施設等内に設置された黒板、ホワイトボード等の黒板類にマグネットスクリーン装置が用いられている。具体的には、当該黒板類にマグネットスクリーンを貼り付け、マグネットスクリーンにプロジェクタから映像を投影して、授業を進行させる態様が多く採られている。【０００３】
これにつき、特許文献１には、ロールを回転自在に支持する支持部材を把握して、当該ロールを黒板類上にて転がしながら移動させることで、マグネットスクリーンを展張させ、又は巻き取る態様が示されている。
【先行技術文献】
【特許文献】
【０００４】
【特許文献１】特開２０１６−３８４７５号公報
【発明の概要】
【発明が解決しようとする課題】
【０００５】
しかしながら、本願発明者らは、従来のマグネットスクリーン装置には以下の改善点があることを見出した。具体的には、かかる装置の構成要素であるマグネットスクリーンを黒板類等の設置面に貼り付ける際に、マグネットスクリーンの局所領域が設置面から浮いてしまう問題が生じ得る。特定の理論に拘束されるものではないが、設置面からのマグネットスクリーンの“浮き”はマグネットスクリーンと設置面との間に空気が入り込むことに起因するものと考えられる。かかるスクリーンの“浮き”はプロジェクタからの映像を好適に投影できないことにつながる。【０００６】
本発明は、かかる事情に鑑みて案出されたものである。すなわち、本発明は、マグネットスクリーンを設置面に好適に貼り付け可能なマグネットスクリーン装置を提供することを目的とする。【０００７】
上記目的を達成するために、本発明の一実施形態では、
開口部を有するケーシングと、ケーシング内に回転自在に設けられたロールと、収納時にロールに巻き取られ、使用時にケーシングの開口部から巻き出されて設置面に貼り付けされるマグネットスクリーンと
を備え、
開口部の形成領域に設けられた棒部材を更に有して成り、
棒部材は、開口部の形成領域に位置するマグネットスクリーンと接触可能に構成されている、マグネットスクリーン装置が提供される。【０００８】
ある好適な態様では、開口部に位置するマグネットスクリーンが、断面視で棒部材と設置面との間に位置付けられている。【０００９】
ある好適な態様では、棒部材は、マグネットスクリーンとの摺動接触に起因して回転可能と成っている。【００１０】
ある好適な態様では、ケーシングは、断面視にてその表面に第１磁石および第１磁石の延在方向とは異なる方向に延在する第２磁石を備えており、
棒部材が、断面視にて第１磁石と略同一平面上に位置付けられている。【００１１】
ある好適な態様では、マグネットスクリーンは、ロールと接続される一方の端部とは反対側の他方の端部に磁着面を有するエンドバーを備えており、
第１磁石および第２磁石が設置面から離隔し、かつエンドバーの磁着面が設置面に貼り付いた状態で、ケーシングが設置面に沿って一方向に移動可能と成っている。【００１２】
ある好適な態様では、ケーシングの一方向移動の間、棒部材は、断面視で開口部に位置するマグネットスクリーンを設置面に対して押圧可能と成っている。【００１３】
ある好適な態様では、ケーシングの一方向移動の間、棒部材は、棒部材の自重が設置面に巻き出されるマグネットスクリーンに連続的にかかるように成っている。【００１４】
ある好適な態様では、ケーシングの一方向移動の間、開口部に位置するマグネットスクリーンは、断面視で棒部材と設置面との接触状態を連続的に保持する。【００１５】
ある好適な態様では、ケーシングは、断面視にてその表面に第１磁石および第１磁石の延在方向とは異なる方向に延在する第２磁石を備えており、
棒部材が、断面視にて第１磁石と略同一平面上に位置付けられている。【００１６】
ある好適な態様では、マグネットスクリーンは、ロールと接続される一方の端部とは反対側の他方の端部に磁着面を有するエンドバーを備えており、
第１磁石および第２磁石が設置面から離隔し、かつエンドバーの磁着面が設置面に貼り付いた状態で、ケーシングが設置面に沿って一方向に移動可能と成っている。【００１７】
ある好適な態様では、ケーシングの一方向移動の間、棒部材は、棒部材の自重が開口部から巻き出される部分におけるマグネットスクリーンに連続的にかかるように成っている。【００１８】
ある好適な態様では、一方向に移動させたケーシングは、断面視にて時計回り又は反時計回りに回転移動することで第１磁石を設置面に貼り付け可能と成っている。【００１９】
ある好適な態様では、第２磁石が設置面に貼り付いている状態でマグネットスクリーンを一方向に巻き出し可能と成っており、
ケーシングを断面視にて第１磁石が設置面に貼り付くように時計回り又は反時計回りに回転移動させることで、第１磁石と略同一平面上に位置付けられた棒部材が、断面視で設置面側に移動可能と成っている。【００２０】
ある好適な態様では、ケーシングの回転移動時に、棒部材は、棒部材の自重が開口部から巻き出される部分におけるマグネットスクリーンにかかるように成っている。【００２１】
ある好適な態様では、棒部材は、開口部の形成領域において突出移動可能と成っている。【００２２】
ある好適な態様では、棒部材は、棒部材の表面の少なくとも一部に押圧部材を備えており、
押圧部材は、マグネットスクリーンと接するように成っている。
【発明の効果】
【００２３】
本発明の一実施形態に係るマグネットスクリーン装置によれば、マグネットスクリーンを設置面に好適に貼り付け可能である。従って、プロジェクタからの映像を好適に投影可能である。
【図面の簡単な説明】
【００２４】
【図１】図１は、本発明の一実施形態に係るマグネットスクリーン装置を模式的に示した断面図である。
【図２】図２は、第１磁石および第２磁石を備えたマグネットスクリーン装置を模式的に示した断面図である。
【図３】図３は、マグネットスクリーン装置の使用態様を模式的に示した断面図である。
【図４】図４は、マグネットスクリーン装置の別の使用態様を模式的に示した断面図である。
【図５】図５は、突出移動可能な棒部材を備えたマグネットスクリーン装置を模式的に示した断面図である。
【図６】図６は、表面に押圧部材が形成された棒部材を備えたマグネットスクリーン装置の模式図である。
【発明を実施するための形態】
【００２５】
以下にて、本発明の一実施形態に係るマグネットスクリーン装置について図面を参照しながら説明する。
【００２６】
図１は、本発明の一実施形態に係るマグネットスクリーン装置を模式的に示した断面図である。
【００２７】
（マグネットスクリーン装置の基本的構成）
本発明の一実施形態に係るマグネットスクリーン装置１００は、図１に示すように開口部１０を有するケーシング２０と、ケーシング２０内に回転自在に設けられたロール３０と、収納時にロール３０に巻き取られ、使用時にケーシング２０の開口部１０から巻き出されて設置面４０に貼り付けされるマグネットスクリーン５０とを備える。
【００２８】
マグネットスクリーン５０は、プロジェクタからの映像を映し出すためのスクリーンシートである。“シート”ゆえ、可撓性を有しており、特に巻回できる程度の可撓性を有している。マグネットスクリーン５０の形状は全体として矩形状（特に帯形状）となっており、非使用時ではスクリーンシートが巻回状態で保持される。
【００２９】
より具体的には、マグネットスクリーン５０は、投影面およびマグネット面を有している。つまり、マグネットスクリーン５０の対向する２つの主面が投影面およびマグネット面となっている。投影面は、プロジェクタからの映像を映し出すためのシート面に相当する一方、マグネット面は、使用時に設置面に貼り付けられるシート面に相当する。使用時の態様に鑑みれば、投影面が表面に相当し、マグネット面が裏面に相当する。
【００３０】
投影面およびマグネット面を有するマグネットスクリーン５０は、例えば、樹脂層とマグネット層とから少なくとも構成されていてよい。かかる場合、表面側に設けられた樹脂層が投影面を成し、裏面側に設けられたマグネット層がマグネット面を成す。樹脂層は、常套的なスクリーンシートの樹脂材から成るものであってよい。一方、マグネット層は、磁力を有する層であり、例えば樹脂材および／またはゴム材などに常套的なマグネット粉などを含んで成る層であってよい。
【００３１】
マグネットスクリーン５０では、一方の端部がロール３０に接続されている一方、当該一方の端部とは反対側の他方の端部にはエンドバー９０が設けられている。エンドバー９０は、図１に示すようにその一部に設置面４０に貼り付くことが可能な磁着面９１を有して成る。
【００３２】
ロール３０は、マグネットスクリーン装置１００の非使用時にてマグネットスクリーン５０を巻回状態で保持するための部材に相当する。マグネットスクリーン５０の一方の短手端部がロール３０に取り付けられており、かかる取り付け部分を起点にしてマグネットスクリーン５０がロール３０に対して巻回される。ロール３０の全体形状は、特に限定されるものではないが、例えば回転軸に沿って長手に延在するような円柱形状であってよい。
【００３３】
例えば、ロール３０はマグネットスクリーン５０を巻き取る方向に回転付勢するバネ部材を備えている。すなわち、ロール３０はスプリングロールであってよい。スプリングロールの場合、バネ部材の付勢力に起因してマグネットスクリーン５０がロール３０に巻回状態で保持されており、使用に際してはマグネットスクリーン５０がバネ部材の付勢力に抗して巻き出される。例えば、スプリングロールのバネ部材はコイルスプリングであってよく、好ましくは細径のバネ鋼線材を螺旋状に多数回巻いて成形した長寸のコイルスプリングであってよい。
【００３４】
又、ケーシング２０の表面には磁石８０が設けられており、当該磁石８０が設置面４０に貼り付けられることで、ケーシング２０を設置面４０に保持可能となる。
【００３５】
（本発明の特徴部分）
以下、本発明の一実施形態に係るマグネットスクリーン装置１００の特徴部分について図１を用いて説明する。
【００３６】
本願発明者らは、上記の設置面からのスクリーンの“浮き”に関する技術的課題を解消するために鋭意検討し、本発明を案出するに至った。
【００３７】
本明細書でいう「ケーシング」とは、内部にてマグネットスクリーンが巻回されたロールを軸支するための箱状の収容部を指す。本明細書でいう「ケーシングの開口部」とは、ケーシング内部からマグネットスクリーンを巻き出す又は巻き戻すためにケーシングの長手方向に沿ってケーシング表面に供された隙間を指す。本明細書でいう「ケーシングの開口部の形成領域」とは、ケーシングの開口部それ自体および当該開口部近傍領域（断面視で０（０除く）〜約１０ｍｍ内側又は外側の領域）を指す。本明細書でいう「棒部材」とは、広義にはケーシングの開口部の長手方向に沿って一方向に延在する長尺部材（例えば金属製）を指し、狭義にはケーシングの開口部の形成領域の一端および他端に回転可能に接続され（軸支され）、かつケーシング開口部の長手方向に沿って一方向に延在する長尺部材（例えば金属製）を指す。本明細書でいう「棒部材のマグネットスクリーンとの接触」とは、マグネットスクリーンを巻き出す又は巻き戻す際に当該マグネットスクリーンが棒部材に直接的に触れる状態を指す。
【００３８】
本明細書でいう「設置面」とは、ケーシング表面に供した磁石が磁着可能な黒板、ホワイトボード等を実質的に指す。本明細書でいう「エンドバーの磁着面を設置面に貼り付けた状態での設置面に沿ったケーシングの一方向移動」とは、マグネットスクリーン巻出し中に設置面から当該スクリーンを連続的に離隔させることなく、使用者がケーシングを移動させて、マグネットスクリーンを間接的に巻き出すことを指す。本明細書でいう「ケーシングの第２磁石の設置面への貼り付け状態でのマグネットスクリーンの一方向巻き出し」とは、マグネットスクリーンを設置面から非連続的に離隔させることなく、使用者がマグネットスクリーンを直接的に巻き出すことを指す。又、本明細書でいう「棒部材の突出」とは、断面視で、棒部材が静止状態（棒部材が開口部の内側領域（開口部の形成領域に含まれる領域に相当）に位置する状態）から開口部に露出するように突き出る始動状態になることを指す。本明細書でいう「押圧部材」とは、マグネットスクリーンと棒部材との間の密着性を向上させるために、断面視で棒部材からマグネットスクリーンに対して押圧力を作用させるための部材を指す。
【００３９】
具体的には、本願発明者らは、図１に示すように当該浮きの発生開始ポイントであり得るケーシング２０の開口部１０の形成領域に新たに棒部材６０を設けることを新たに案出した。当該棒部材６０（長尺部材に相当）は、マグネットスクリーン５０の巻出し又は巻取りのためのケーシング２０の開口部１０に位置付けられている。具体的には、棒部材６０は、開口部１０の長手方向に沿って一方向に延在しており、開口部１０の長手寸法と略同一の長手寸法を有している。一方、棒部材６０は、開口部１０の短手寸法よりも小さい短手寸法を有している。当該短手寸法は、開口部１０からマグネットスクリーン５０を巻き出し可能であって、かつ下述のマグネットスクリーン５０が設置面側の方向とは反対の方向に向かうことを抑制可能な寸法であることが好ましい。かかる構成によれば、棒部材６０は、開口部１０の形成領域に位置するマグネットスクリーン５０と接触可能となる。換言すれば、開口部１０に位置するマグネットスクリーン５０が、当該棒部材６０と接触可能となる。
【００４０】
これにより、マグネットスクリーン５０を巻き出して黒板類等の設置面に貼り付ける際に、棒部材６０によりマグネットスクリーン５０が設置面側の方向とは反対の方向に向かうことを抑制することができる。そのため、マグネットスクリーン５０と設置面との間に空気が入り込むことを抑制することができる。つまり、設置面からのマグネットスクリーン５０のいわゆる“浮き”を抑制することができる。つまり、棒部材６０は、“マグネットスクリーン浮き抑制部材”として機能する。従って、マグネットスクリーン５０を設置面に好適に貼り付けることができる。それ故、プロジェクタからの映像を好適に投影することができる。
【００４１】
又、棒部材６０がケーシング２０の外側領域に設けられる場合と比べて、棒部材６０が開口部１０の形成領域に設けられる場合には、以下の効果が奏される。具体的には、開口部１０は、マグネットスクリーン５０が巻き出し時に設置面４０側の方向とは反対の方向に向かい始める箇所、すなわち「マグネットスクリーン５０が巻き出し時に設置面４０から離隔し始める」箇所であると言えるところ、本発明ではかかる箇所に棒部材６０を配置するため、棒部材がケーシング２０の外側領域に設けられる場合と比べて、マグネットスクリーン５０が設置面４０側の方向とは反対の方向に向かうことを効果的に抑制することができる。それ故、マグネットスクリーン５０と設置面４０との間に空気が入り込むことを効果的に抑制することができる。また、棒部材６０がケーシング２０の外側領域に設けられる場合と比べて、マグネットスクリーン装置１００の寸法の拡大を回避することができる。
【００４２】
なお、マグネットスクリーン５０は、断面視で設置面４０と棒部材６０との間に位置付けられることが好ましい（図１参照）。
【００４３】
かかる構成により、マグネットスクリーン５０を基点として、断面視でマグネットスクリーン５０の一方の側に設置面が位置付けられ、他方の側に棒部材６０が位置付けられる。つまり、マグネットスクリーン５０は、断面視で設置面４０と棒部材６０とに挟まれるように位置付けられる。これにより、上記の設置面４０側の方向とは反対の方向へのマグネットスクリーン５０の移動を好適に抑制することができる。
【００４４】
又、開口部１０の形成領域に設けられる棒部材６０は、マグネットスクリーン５０との摺動接触に起因して回転可能と成っていることが好ましい（図１参照）。
【００４５】
具体的には、棒部材６０は、断面視で時計回り又は反時計回りに回転可能となるようにその両端がケーシング２０の両方の側部に接続される。かかる構成を採るために、棒部材６０は、長手方向に延在する中空部を内部に有していることが好ましい。棒部材６０が中空部を内部に有している場合、中空部が、ケーシング２０に取り付けられた突起具を挿入するための空間領域として機能する。
【００４６】
これにより、棒部材６０は、マグネットスクリーン５０との摺動接触に起因して回転可能となる。上述のように、棒部材６０によって、設置面側の方向とは反対の方向へのマグネットスクリーン５０の移動が抑制されるものの、その一方でマグネットスクリーン５０と棒部材６０との間の摩擦抵抗に起因したマグネットスクリーン５０の円滑な巻き出しが懸念される。そこで、棒部材６０が断面視で時計回り又は反時計回りに回転可能となることで、当該摩擦抵抗が減じられることになり、マグネットスクリーン５０の円滑な巻き出しが可能となる。
【００４７】
本発明は、下記態様を採ることが好ましい。
【００４８】
一態様では、ケーシング２０Ａは、断面視にてその表面に第１磁石８１Ａおよび第１磁石８１Ａの延在方向とは異なる方向に延在する第２磁石８２Ａを備えており、棒部材６０Ａが、断面視にて第１磁石８１Ａと略同一平面上に位置付けられていることが好ましい（図２参照）。
【００４９】
本態様では、図２に示すように、ケーシング２０Ａは、断面視にてその表面に第１磁石８１Ａおよび第１磁石８１Ａの延在方向とは異なる方向に延在する第２磁石８２Ａを備えている。つまり、本態様では、ケーシング２０Ａの表面には２つの磁石が設けられており、当該２つの磁石は断面視で相互に異なる方向に延在している。かかる構成を採ることで、第１磁石８１Ａが設置面に貼り付く際と、第２磁石８２Ａが設置面に貼り付く際とで、断面視でケーシング２０Ａの向きを変えることができる。
【００５０】
上述のように、本態様では、棒部材６０Ａは断面視にて第１磁石８１Ａと略同一平面上に位置付けられている。かかる構成によれば、第１磁石８１Ａが設置面に貼り付いている状態で、第１磁石８１Ａと棒部材６０Ａとの略同一平面配置により、断面視で開口部１０Ｃに位置するマグネットスクリーン５０Ａを挟み込むように棒部材６０Ａを設置面上に位置付けることができる。これにより、棒部材６０Ａによって、設置面に位置するマグネットスクリーン５０Ａを押圧することが可能となる。
【００５１】
これに対して、第２磁石８２Ａが設置面に貼り付いている状態（および/又は第１磁石８１Ａおよび第２磁石８２Ａ共に設置面から離隔している状態）では、第１磁石８１Ａが第２磁石８２Ａの延在方向とは異なる方向に延在していることにより、第１磁石８１Ａは設置面から離隔した状態となる。第１磁石８１Ａが設置面から離隔していると、上述の第１磁石８１Ａと棒部材６０Ａとの略同一平面配置に起因して、断面視で棒部材６０Ａを設置面から離隔することができる。
【００５２】
以下、ケーシングの表面には断面視で相互に異なる方向に延在する第１磁石と第２磁石とを備えたマグネットスクリーン装置を前提に説明する。
【００５３】
本発明の一実施形態のマグネットスクリーン装置の使用態様の１つとして、マグネットスクリーン５０Ｂの端部に供したエンドバー９０Ｂを設置面４０Ｂに貼り付けた状態で、ケーシング２０Ｂを移動させる態様が挙げられる（図３参照）。
【００５４】
具体的には、図３（ｉ）に示すように、マグネットスクリーン５０Ｂの端部に供したエンドバー９０Ｂおよびケーシング２０Ｂの表面に設けた第１磁石８１Ｂを設置面４０Ｂの所定箇所に貼り付ける。つまり、図３（ｉ）の態様では、ケーシング２０Ｂは静止状態にある。
【００５５】
次に、図３（ｉｉ）に示すように、エンドバー９０Ｂを設置面４０Ｂに貼り付け、かつ第２磁石８２Ｂに加えて第１磁石８１Ｂも設置面４０Ｂから離隔させた状態で、ケーシング２０Ｂを設置面４０Ｂに沿って一方向に移動させる。具体的には、かかる状態で、設置面４０Ｂとケーシング２０Ｂの開口部１０Ｂが相互に対向するように、ケーシング２０Ｂを設置面４０Ｂに沿って一方向に移動させる。つまり、図３（ｉｉ）の態様では、ケーシング２０Ｂは一方向移動状態にある。
【００５６】
設置面４０Ｂとケーシング２０Ｂの開口部１０Ｂが相互に対向するように、ケーシング２０Ｂを設置面４０Ｂに沿って一方向に移動させると、エンドバー９０Ｂが設置面４０Ｂに貼り付けられているため、ロール３０に巻回されたマグネットスクリーン５０Ｂがケーシング２０Ｂの開口部１０Ｂから巻き出されて、設置面４０Ｂに貼り付く。この際、本発明では、棒部材６０Ｂがケーシング２０Ｂの開口部１０Ｂの形成領域に位置付けられているため、設置面４０Ｂとケーシング２０Ｂの開口部１０Ｂが相互に対向するようにケーシング２０Ｂを設置面４０Ｂに沿って一方向に移動させる場合に、断面視で開口部１０Ｂに位置するマグネットスクリーン５０Ｂの直上には棒部材６０Ｂが位置し、当該マグネットスクリーン５０Ｂの直下に設置面４０Ｂが位置することとなる。
【００５７】
具体的には、本態様では、設置面４０Ｂとケーシング２０Ｂの開口部１０Ｂが相互に対向するようにケーシング２０Ｂを設置面４０Ｂに沿って一方向に移動させるため、「ケーシング２０Ｂの一方向移動の間」棒部材６０Ｂの自重がマグネットスクリーン５０Ｂに「連続して」かかることとなる。棒部材６０Ｂの自重がマグネットスクリーン５０Ｂに「連続して」かかると、当該自重が、「ケーシング２０Ｂの一方向移動の間」マグネットスクリーン５０Ｂの直下に位置する設置面にも「連続して」かかることとなる。つまり、当該連続的に負荷可能な自重により、棒部材６０Ｂが、「ケーシング２０Ｂの一方向移動の間」直下に位置するマグネットスクリーン５０Ｂと好適に「連続して」接触し、そして当該棒部材と好適に「連続して」接触したマグネットスクリーン５０Ｂが、「ケーシング２０Ｂの一方向移動の間」直下に位置する設置面４０Ｂと好適に「連続して」接触することができる。つまり、棒部材６０Ｂは、「ケーシング２０Ｂの一方向移動の間」直下に位置するマグネットスクリーン５０Ｂを設置面４０Ｂに対して好適に「連続して」押圧可能となる。これにより、「ケーシング２０Ｂの一方向移動の間」マグネットスクリーン５０Ｂと設置面４０Ｂとの間の非接触部分、すなわち”浮き”の発生を好適に「連続して」回避することができる。従って、マグネットスクリーン５０Ｂを設置面４０Ｂにより好適に貼り付けることができる。
【００５８】
最後に、図３（ｉｉｉ）に示すように、所定長さケーシング２０Ｂを一方向に移動させた後、当該ケーシング２０Ｂを断面視にて時計回り又は反時計回りに回転移動させる。当該回転移動により、第１磁石８１Ｂを設置面４０Ｂの所定箇所に貼り付け可能となる。第１磁石８１Ｂが設置面４０Ｂに貼り付けられると、第１磁石８１Ｂの磁着力によりケーシング２０Ｂを固定保持することができる。なお、本態様では、棒部材の自重を利用したものに限定されない。例えば、ケーシング２０Ｂを一方向に移動させてマグネットスクリーンの巻き出し完了時に、ケーシング２０Ｂを（図３（ｉｉｉ）の矢印方向（時計回り方向）とは反対方向（反時計周り方向）に）回転移動させて設置面４０Ｂに対して略垂直な方向に棒部材６０Ｂを押し付けることがより好ましい。これにより、巻き出したマグネットスクリーンの端部における“浮き”をより好適に回避することができる。
【００５９】
次に、本発明の一実施形態のマグネットスクリーン装置のその他の使用態様として、ケーシング２０Ｃを設置面４０Ｃに貼り付けた状態で、マグネットスクリーン５０Ｂの端部に供したエンドバー９０Ｂを一方向に移動させる態様が挙げられる（図４参照）。
【００６０】
具体的には、図４（ｉ）に示すように、ケーシング２０Ｃの表面に設けた第２磁石８２Ｃを設置面４０Ｃの所定箇所に貼り付ける。つまり、図４（ｉ）の態様では、ケーシング２０Ｃは固定保持状態にある。
【００６１】
ケーシング２０Ｃを固定保持状態にした後、図４（ｉｉ）に示すように、ケーシング２０Ｃの開口部１０Ｃ近傍に位置するエンドバー９０Ｃを、設置面４０Ｃの延在方向と略同一方向に移動させて、開口部１０Ｃを通じてマグネットスクリーン５０Ｃを巻き出す。
【００６２】
マグネットスクリーン５０Ｃを巻き出し後、図４（ｉｉｉ）に示すように当該マグネットスクリーン５０Ｃの端部に設けたエンドバー９０Ｃを、エンドバー９０Ｃに供した磁着面９１Ｃを介して設置面４０Ｃに貼り付ける。
【００６３】
エンドバー９０Ｃを設置面４０Ｃに貼り付けた後、図４（ｉｖ）に示すようにケーシング２０Ｃを断面視にて時計回りに回転移動させる。具体的には、第１磁石８１Ｃが設置面４０Ｃに貼り付け可能となるようにケーシング２０Ｃを断面視にて時計回りに回転移動させる。当該ケーシング２０Ｃの回転移動により、第１磁石８１Ｃを設置面４０Ｃに貼り付け可能となる。
【００６４】
又、上述のように、本発明では、ケーシング２０Ｃの開口部１０Ｃに位置づけられる棒部材６０Ｃは、断面視にて第１磁石８１Ｃと略同一平面上に位置付けられている。かかる構成によれば、第１磁石８１Ｃが設置面に貼り付いた際に、第１磁石８１Ｃと棒部材６０Ｃとの略同一平面配置により、断面視で開口部１０Ｃに位置するマグネットスクリーン５０Ｃを挟み込むように棒部材６０Ｃを設置面４０Ｃ上に位置付けることができる。
【００６５】
具体的には、図４（ｉｖ）に示すように、第１磁石８１Ｃが設置面に貼り付いた際に、第１磁石８１Ｃと棒部材６０Ｃとの略同一平面配置により、断面視で開口部１０Ｃに位置するマグネットスクリーン５０Ｃの直上には棒部材６０Ｃが位置し、当該マグネットスクリーン５０Ｃの直下に設置面４０Ｃが位置することとなる。
【００６６】
かかる棒部材６０Ｃの配置に起因して、棒部材６０Ｃの自重がケーシング２０Ｃの開口部１０Ｃから巻き出される部分におけるマグネットスクリーン５０Ｃにかかる。マグネットスクリーン５０Ｃに棒部材６０Ｃの自重がかかると、それに起因して当該自重がマグネットスクリーン５０Ｃの直下に位置する設置面４０Ｃにもかかる。つまり、かかる自重により、棒部材６０Ｃが、直下に位置するマグネットスクリーン５０Ｃと好適に接触し、そして当該棒部材６０Ｃと好適に接触したマグネットスクリーン５０Ｃが、直下に位置する設置面４０Ｃと好適に接触することができる。つまり、棒部材６０Ｃは、直下に位置するマグネットスクリーン５０Ｃを設置面４０Ｃに対して好適に押圧可能となる。これにより、マグネットスクリーン５０Ｃと設置面４０Ｃとの間の非接触部分、すなわち”浮き”の発生を好適に回避することができる。従って、マグネットスクリーン５０Ｃを設置面４０Ｃに好適に貼り付けることができる。なお、本態様では、棒部材の自重を利用したものに限定されない。例えば、マグネットスクリーンの巻き出し完了時に、ケーシング２０Ｃを（図４（ｉｖ）の矢印方向（時計回り方向）に）回転移動させて設置面４０Ｃに対して略垂直な方向に棒部材６０Ｃを押し付けることがより好ましい。これにより、巻き出し開始ポイントにおけるマグネットスクリーンの端部における“浮き”をより好適に回避することができる。
【００６７】
一態様では、棒部材６０Ｄは、開口部１０Ｄの形成領域にて突出移動可能となっていることが好ましい（図５参照）。
【００６８】
かかる構成によれば、図５に示すように、マグネットスクリーン５０Ｄを巻き出して黒板類等の設置面に貼り付ける際に、棒部材６０Ｄにより開口部１０Ｄから巻き出される部分におけるマグネットスクリーン５０Ｄを設置面側へと好適に押圧可能となる。そのため、マグネットスクリーン５０Ｄが設置面側とは異なる方向に向かうことをより効果的に抑制することができるため、マグネットスクリーン５０と設置面との間に空気が入り込むことをより効果的に抑制することができる。つまり、設置面からのマグネットスクリーン５０Ｄのいわゆる“浮き”をより効果的に抑制することができる。従って、マグネットスクリーン５０Ｄを設置面により好適に貼り付けることができる。
【００６９】
一態様では、棒部材６０Ｅは、棒部材６０Ｅの表面の少なくとも一部に押圧部材７０Ｅを備えており、押圧部材７０Ｅは、マグネットスクリーンと接するように成っていることが好ましい（図６参照）。
【００７０】
マグネットスクリーンの巻き出し、又は巻き取り時において、上下垂直方向又は左右水平方向にマグネットスクリーンを巻き出したり、巻き取ることが容易ではない場合がある。具体的には、マグネットスクリーンの巻き出し又は巻き取り方向の高さが全体として等しくならず、マグネットスクリーンが斜め方向に向かって巻き出されり、巻き取られることがある（いわゆる“タケノコ現象”の発生）。特に、かかる“タケノコ現象”が発生すると、マグネットスクリーンの巻き出し又は巻き取り方向のマグネットスクリーンの一方の端部の高さと他方の端部の高さとの間に違いが生じ得る。この事は、プロジェクタからの映像を好適にマグネットスクリーンに投影できないことにつながる。
【００７１】
そこで、図６に示すようにマグネットスクリーンと接するように棒部材６０Ｅの表面の少なくとも一部に押圧部材７０Ｅが供されることが好ましい。一態様では、図６（ａ）に示すように棒部材６０Ｅの表面の全体に押圧部材７０Ｅ１が供されてよい。別態様では、図６（ｂ）に示すように棒部材６０Ｅの表面の端部および中間部に押圧部材７０Ｅ２が供されてよい。かかる構成により、棒部材６０Ｅのうち、押圧部材７０Ｅが設けられている部分の厚さは押圧部材７０Ｅが設けられていない部分の厚さよりも大きくなる。そのため、押圧部材７０Ｅが供されていない部分と比べて押圧部材７０Ｅが供されている部分ではより好適に対向するマグネットスクリーンの少なくとも一部を押さえ込むことが可能となる。以上により、マグネットスクリーンの巻き出し時又は巻き取り時にマグネットスクリーンの少なくとも一部を設置面側に押圧可能となる。特に、図６（ａ）に示す態様では、マグネットスクリーンの巻き出し時又は巻き取り時にマグネットスクリーンの主面を全体的に設置面側に押圧可能となる点で特に好ましい。
【００７２】
これにより、マグネットスクリーンが斜め方向に向いた状態で巻き出しが開始されたり、マグネットスクリーンが斜め方向に向いた状態で巻き取りが開始されることを抑制することができる。つまり、上下垂直方向又は左右水平方向にマグネットスクリーンを巻き出したり、巻き取ることができる。従って、プロジェクタからの映像を好適にマグネットスクリーンに好適に投影することができる。なお、押圧部材７０Ｅは、マグネットスクリーンと押圧部材７０Ｅとの間の密着性を向上させる観点から、ゴム等の弾性特性を有した樹脂部材から構成されていることが好ましい。
【００７３】
以上、本発明の実施形態について説明してきたが、本発明の適用範囲における典型例を示したに過ぎない。従って、本発明は、上記の実施形態に限定されず、種々の変更がなされ得ることを当業者は容易に理解されよう。
【産業上の利用可能性】
【００７４】
本発明の一実施形態に係るマグネットスクリーン装置は、特に超短焦点プロジェクタと共に利用可能である。
【関連出願の相互参照】
【００７５】
本出願は、日本国特許出願第２０１６−１７７００３号（出願日：２０１６年９月９日、発明の名称：「マグネットスクリーン装置」）に基づくパリ条約上の優先権を主張する。当該出願に開示された内容は全て、この引用により、本明細書に含まれるものとする。
【符号の説明】
【００７６】
１００、１００Ａ、１００Ｂ、１００Ｃ、１００Ｄ、１００Ｅ  マグネットスクリーン装置
１０、１０Ａ、１０Ｂ、１０Ｃ、１０Ｄ    開口部
２０、２０Ａ、２０Ｂ、２０Ｃ、２０Ｄ、２０Ｅ  ケーシング
３０、３０Ａ、３０Ｂ、３０Ｃ、３０Ｄ  ロール
４０、４０Ｂ、４０Ｃ    設置面
５０、５０Ａ、５０Ｂ、５０Ｃ、５０Ｄ    マグネットスクリーン
６０、６０Ａ、６０Ｂ、６０Ｃ、６０Ｄ、６０Ｅ    棒部材
７０Ｅ、７０Ｅ１、７０Ｅ２    押圧部材
８０    磁石
８１Ａ、８１Ｂ、８１Ｃ、８１Ｄ    第１磁石
８２Ａ、８２Ｂ、８２Ｃ、８２Ｄ    第２磁石
９０、９０Ａ、９０Ｂ、９０Ｃ、９０Ｄ    エンドバー
９１、９１Ｂ、９１Ｃ    磁着面
【図１】
2018047373.tif 000003
【図２】
2018047373.tif 000004
【図３】
2018047373.tif 000005
【図４】
2018047373.tif 000006
【図５】
2018047373.tif 000007
【図６】
2018047373.tif 000008
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
マグネットスクリーン装置であって、
開口部を有するケーシングと、該ケーシング内に回転自在に設けられたロールと、収納時に前記ロールに巻き取られ、使用時に前記ケーシングの前記開口部から巻き出されて設置面に貼り付けされるマグネットスクリーンと
を備え、
前記開口部の形成領域に設けられた棒部材を更に有して成り、
前記棒部材は、前記開口部の前記形成領域に位置する前記マグネットスクリーンと接触し、それによって、該マグネットスクリーンが前記設置面に接触可能と成っている、マグネットスクリーン装置。
【請求項２】
前記開口部に位置する前記マグネットスクリーンが、断面視で前記棒部材と前記設置面との間に位置付けられている、請求項１に記載のマグネットスクリーン装置。
【請求項３】
前記棒部材は、前記マグネットスクリーンとの摺動接触に起因して回転可能と成っている、請求項１又は２に記載のマグネットスクリーン装置。
【請求項４】
前記ケーシングは、断面視にてその表面に第１磁石および該第１磁石の延在方向とは異なる方向に延在する第２磁石を備えており、
前記棒部材が、断面視にて前記第１磁石と略同一平面上に位置付けられている、請求項１〜３のいずれかに記載のマグネットスクリーン装置。
【請求項５】
前記マグネットスクリーンは、前記ロールと接続される一方の端部とは反対側の他方の端部に磁着面を有するエンドバーを備えており、
前記第１磁石および前記第２磁石が前記設置面から離隔し、かつ前記エンドバーの前記磁着面が前記設置面に貼り付いた状態で、前記ケーシングが前記設置面に沿って一方向に移動可能と成っている、請求項１〜４のいずれかに記載のマグネットスクリーン装置。
【請求項６】
前記ケーシングの前記一方向移動の間、前記棒部材は、該棒部材の自重が前記開口部から巻き出される部分における前記マグネットスクリーンに連続的にかかるように成っている、請求項５に記載のマグネットスクリーン装置。
【請求項７】
前記一方向に移動させた前記ケーシングは、断面視にて時計回り又は反時計回りに回転移動することで前記第１磁石を前記設置面に貼り付け可能と成っている、請求項５又は６に記載のマグネットスクリーン装置。
【請求項８】
前記第２磁石が前記設置面に貼り付いている状態で前記マグネットスクリーンを一方向に巻き出し可能と成っており、
前記ケーシングを断面視にて前記第１磁石が前記設置面に貼り付くように時計回り又は反時計回りに回転移動させることで、前記第１磁石と略同一平面上に位置付けられた前記棒部材が、断面視で前記設置面側に移動可能と成っている、請求項１〜４のいずれかに記載のマグネットスクリーン装置。
【請求項９】
前記ケーシングの前記回転移動時に、前記棒部材は、該棒部材の自重が前記開口部から巻き出される部分における前記マグネットスクリーンにかかるように成っている、請求項８に記載のマグネットスクリーン装置。
【請求項１０】
前記棒部材は、前記開口部の前記形成領域において突出移動可能と成っている、請求項１〜９のいずれかに記載のマグネットスクリーン装置。
【請求項１１】
前記棒部材は、該棒部材の表面の少なくとも一部に押圧部材を備えており、
前記押圧部材は、前記マグネットスクリーンと接するように成っている、請求項１〜１０のいずれかに記載のマグネットスクリーン装置。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
マグネットスクリーン装置であって、
開口部を有するケーシングと、該ケーシング内に回転自在に設けられたロールと、収納時に前記ロールに巻き取られ、使用時に前記ケーシングの前記開口部から巻き出されて設置面に貼り付けされるマグネットスクリーンと
を備え、
前記開口部の形成領域に設けられた棒部材を更に有して成り、
前記ケーシングは該ケーシングの表面に磁石を備えており、前記棒部材が断面視にて該磁石と同一平面上に位置付けられており、および
前記棒部材は、前記開口部の前記形成領域に位置する前記マグネットスクリーンと接触し、それによって、該マグネットスクリーンが前記設置面に接触可能と成っている、マグネットスクリーン装置。
【請求項２】
前記開口部に位置する前記マグネットスクリーンが、断面視で前記棒部材と前記設置面との間に位置付けられている、請求項１に記載のマグネットスクリーン装置。
【請求項３】
前記棒部材は、前記マグネットスクリーンとの摺動接触に起因して回転可能と成っている、請求項１又は２に記載のマグネットスクリーン装置。
【請求項４】
前記ケーシングは、断面視にてその表面に第１磁石および該第１磁石の延在方向とは異なる方向に延在する第２磁石を備えており、
前記棒部材が、断面視にて前記第１磁石と略同一平面上に位置付けられている、請求項１〜３のいずれかに記載のマグネットスクリーン装置。
【請求項５】
前記マグネットスクリーンは、前記ロールと接続される一方の端部とは反対側の他方の端部に磁着面を有するエンドバーを備えており、
前記第１磁石および前記第２磁石が前記設置面から離隔し、かつ前記エンドバーの前記磁着面が前記設置面に貼り付いた状態で、前記ケーシングが前記設置面に沿って一方向に移動可能と成っている、請求項１〜４のいずれかに記載のマグネットスクリーン装置。
【請求項６】
前記ケーシングの前記一方向移動の間、前記棒部材は、該棒部材の自重が前記開口部から巻き出される部分における前記マグネットスクリーンに連続的にかかるように成っている、請求項５に記載のマグネットスクリーン装置。
【請求項７】
前記一方向に移動させた前記ケーシングは、断面視にて時計回り又は反時計回りに回転移動することで前記第１磁石を前記設置面に貼り付け可能と成っている、請求項５又は６に記載のマグネットスクリーン装置。
【請求項８】
前記第２磁石が前記設置面に貼り付いている状態で前記マグネットスクリーンを一方向に巻き出し可能と成っており、
前記ケーシングを断面視にて前記第１磁石が前記設置面に貼り付くように時計回り又は反時計回りに回転移動させることで、前記第１磁石と略同一平面上に位置付けられた前記棒部材が、断面視で前記設置面側に移動可能と成っている、請求項１〜４のいずれかに記載のマグネットスクリーン装置。
【請求項９】
前記ケーシングの前記回転移動時に、前記棒部材は、該棒部材の自重が前記開口部から巻き出される部分における前記マグネットスクリーンにかかるように成っている、請求項８に記載のマグネットスクリーン装置。
【請求項１０】
前記棒部材は、前記開口部の前記形成領域において突出移動可能と成っている、請求項１〜９のいずれかに記載のマグネットスクリーン装置。
【請求項１１】
前記棒部材は、該棒部材の表面の少なくとも一部に押圧部材を備えており、
前記押圧部材は、前記マグネットスクリーンと接するように成っている、請求項１〜１０のいずれかに記載のマグネットスクリーン装置。
【国際調査報告】
2018047373.tif 000009
2018047373.tif 000010
2018047373.tif 000011
2018047373.tif 000012